(57)【要約】【課題】  シートバック側面を車体側面に連結させる連結手段を有する車両にあっても、スライド操作やリクライニング操作を効率的に行うことができる車両用シート装置およびシートバックの連結解除方法を提供する。【解決手段】  車体床面に前後方向に移動自在に設けられたシートクッション３と、シートクッション３の前後位置を所定の位置に固定させる前後位置固定手段と、前記シートクッション３に回動自在に軸支されたシートバック５と、シートバック側面９を車体側面１１に連結させる連結手段７と、前記前後位置固定手段と連結手段７とを連動して連結解除させる連動手段３９とを備えた車両用シート装置であって、連動手段３９は、前後位置固定手段を操作して、連結手段３９によるシートバック側面９と車体側面１１との連結の解除を行うのと同時または連結の解除を行ったのちに、シート１の前後位置の固定を解除する。【選択図】      図１
2006175947.tif 000002
【特許請求の範囲】
【請求項１】
車体床面に前後方向に沿って移動自在に取り付けられたシートクッションと、該シートクッションの前後位置を車体に対して可変させる前後位置可変手段と、シートクッションを車体に対して所定の前後位置に固定させる前後位置固定手段と、前記シートクッションに回動自在に支持されたシートバックと、シートバックの側面に設けられ、このシートバック側面を車体側面に連結させる連結手段と、前記前後位置固定手段と連結手段とを連動して、シートバック側面と車体側面との連結を解除させる連動手段とを備えた車両用シート装置であって、
前記連動手段は、前記前後位置固定手段を操作して、連結手段によるシートバック側面と車体側面との連結の解除を行うのと同時または連結の解除を行ったのちに、シートの前後位置の固定を解除するように構成したことを特徴とする車両用シート装置。
【請求項２】
前記シートバックをシートクッションに対して所定の回動角度に調整および固定する角度調整手段を設け、該角度調整手段と連結手段とを連動手段を介して連動させ、
該連動手段は、前記角度調整手段を操作して、連結手段による連結の解除を行うのと同時または連結の解除を行ったのちに、シートバックの回動位置の固定を解除するように構成したことを特徴とする請求項１に記載の車両用シート装置。
【請求項３】
前記連結手段は、車体側面の溝に係止自在の連結アームを有し、前後位置固定手段または角度調整手段を連動手段を介して連結手段に接続させ、前記連結アームの作動量が所定値を超えた後は、連結アームが車体側面に係止された状態で、連結アームの作動が停止するように構成したことを特徴とする請求項１または２に記載の車両用シート装置。
【請求項４】
前記連動手段は、前記前後位置固定手段または角度調整手段に線状部材を介して接続された、回動自在の第１回転部材と、連結手段に線状部材を介して接続された、第１回転部材に係合しつつ所定角度分だけ回動する第２回転部材とを備え、
前記前後位置固定手段または角度調整手段を操作して、第１回転部材と共に第２回転部材を回転させ、第１回転部材が所定角度分だけ回転した後は第１回転部材と第２回転部材の係合が外れ、第１回転部材のみが回転するように構成したことを特徴とする請求項３に記載の車両用シート装置。
【請求項５】
前記前後位置固定手段または角度調整手段は、回動自在に軸支されたレバー本体部と、該レバー本体部に回動自在に軸支され、連結手段に線状部材を介して接続されたレバー把持部と、からなる調整レバーを備え、レバー把持部が所定角度分だけ回動したときにレバー本体部に当接して、これらのレバー本体部およびレバー把持部が一体に回動するように構成し、かつ、レバー本体部およびレバー把持部の回動軸を近接して配置したことを特徴とする請求項３に記載の車両用シート装置。
【請求項６】
シートの前後位置固定手段と、シートバック側面を車体側面に連結させる連結手段とを、連動手段により連動して固定解除させる際に、前記前後位置固定手段を操作して、連結手段によるシートバック側面と車体側面との連結の解除を行うのと同時または連結の解除を行ったのちに、シートの前後位置の固定を解除することを特徴とするシートバックの連結解除方法。
【発明の詳細な説明】
【技術分野】
【０００１】
本発明は、車両用シート装置およびシートバックの連結解除方法に関する。更に詳しくは、通常時及び車両衝突時にシートバック側面と車体側面とを連結する車両用シート装置およびシート位置等の調整時にシートバック側面と車体側面との連結を解除する連結解除方法に関する。
【背景技術】
【０００２】
従来、車両室内に配設される車両用シート装置は、フロア側に取り付けられるシートクッションと、該シートクッションに回動自在に支持されるシートバックとを備えている（例えば、特許文献１参照）。
【０００３】
この車両用シート装置においては、シートバックの上部に軸部材を設け、車体のセンターピラー側に受け部材を設け、これらの軸部材と受け部材とをステーを介して連結している。ここで、車両に衝突荷重が入力されたときには、前方移動しようとする乗員からシートベルトに車両前方側の荷重が掛かり、該シートベルトを介してシートバックも車両前方側に移動しようとするが、前記ステーによってシートバック上部とセンターピラーとをステーを介して連結することにより、車両衝突時におけるシートバックの倒れを防止している。
【特許文献１】特開平５−１６７１６号公報
【発明の開示】
【発明が解決しようとする課題】
【０００４】
しかしながら、前記従来例によっては、ステーが軸部材と受け部材とに取り付けられているため、シートを前後方向に摺動させるスライド操作やシートバックを斜めに回動させるリクライニング操作が行いにくいという問題がある。
【０００５】
そこで、本発明は、シートバック側面を車体側面に連結させる連結手段を有する車両にあっても、スライド操作やリクライニング操作を効率的に行うことができる車両用シート装置およびシートバックの連結解除方法を提供することを目的としている。
【課題を解決するための手段】
【０００６】
前記目的を達成するために、本発明に係る車両用シート装置は、車体床面に前後位置が可変自在に設けられたシートクッションと、該シートクッションの前後位置を車体に対して可変させる前後位置可変手段と、シートクッションの車体に対する前後位置を所定の位置に固定させる前後位置固定手段と、前記シートクッションに回動自在に軸支されたシートバックと、シートバック側面を車体側面に連結させる連結手段と、前記前後位置固定手段と連結手段とを連動して、シートバック側面と車体側面との連結を解除させる連動手段とを備えた車両用シート装置であって、前記連動手段は、前記前後位置固定手段を操作して、連結手段によるシートバック側面と車体側面との連結の解除を行うのと同時または連結の解除を行ったのちに、シートの前後位置の固定を解除するように構成している。
【０００７】
また、本発明に係るシートバックの連結解除方法は、シートの前後位置固定手段と、シートバック側面を車体側面に連結させる連結手段とを、連動手段により連動して連結解除させる際に、前記前後位置固定手段を操作して、連結手段によるシートバック側面と車体側面との連結の解除を行うのと同時または連結の解除を行ったのちに、シートの前後位置の固定を解除することを特徴としている。
【発明の効果】
【０００８】
本発明に係る車両用シート装置およびシートバックの連結解除方法によれば、前記前後位置固定手段を操作してシート位置の固定解除をする前に、前記連結手段による連結解除が行われるように構成している。このため、乗員がシートの前後位置を調整するためにロックを開錠してシートが移動可能状態になった時には、既にシートバックの連結は解除されているので、シートの前後位置またはシートバックの回動角度の調整操作時に、シートバック側面と車体側面との引っかかりが発生することなく、円滑な操作を行うことができる。特に、連結手段は乗員の耳に近いシートバック側面に設けられているため、シートバック側面と車体側面との引っかかりによる異音は乗員にとって非常に不快であるが、本発明によればこのような異音を確実に防止することができる。
【発明を実施するための最良の形態】
【０００９】
以下、本発明の実施形態を図面に基づき説明する。
【００１０】
[第１の実施形態]
本発明の車両用シート装置の第１実施形態を図１〜図１０に従って説明する。
【００１１】
図１は本発明の第１実施形態によるシート及びその周辺部を示す斜視図、図２は図１の調整レバーの作動状態を示す正面図、図３は図１のＡ−Ａ線による拡大断面図である。
【００１２】
図１に示すように、シート１は、シートクッション３とシートバック５から構成され、該シートバック５の側面には連結手段７が設けられている。該連結手段７は、シートバック側面９と車体側面１１とを連結して固定するように構成されている。
【００１３】
車体側面１１には車体側連結板１３が設けられ、該車体側連結板１３は、その外形が側面視略三角形に形成されている。また、車体側連結板１３には、上下に延びる溝１５が車両前後方向に沿って複数形成されており、これらの溝１５に、前記連結手段７の連結アーム１７が係止されることによって、シートバック側面９と車体側面１１とを連結して固定する。なお、シートクッション３の前端には前後スライド用の調整レバー１９が配設され、シートクッション３の側端にはシートバックのリクライニング用の調整レバー２０が配設されている。よって、角度調整手段である調整レバー２０とリクライニング装置によって、シートバック５の前後方向の回動であるリクライニングがされ、前後位置可変手段であるスライドレール２１によってシート１の前後方向のスライド調整が可能になっている。
【００１４】
図２に示すように、この調整レバー１９は、上下に回動自在に支持されており、固定部材が一体に設けられている。該固定部材は、調整レバー１９と一体になって回転し、上部には連動ワイヤー（線状部材）２３の端部が係止され、下部にはスライドレール側に屈曲して延びるロック爪３５が形成されている。なお、シートクッション３を車体に対して所定の前後位置に固定させる前後位置固定手段は、前記調整レバー１９とロック爪３５とから構成されている。
【００１５】
スライドレール２１は、ロアレール２１ａに対してアッパーレール２１ｂが摺動することにより、前後位置の調整が可能となっており、このアッパーレール２１ｂとロアレール２１ａにロック爪３５が噛み込むことによってシート位置がロックされ、調整レバー１９を回転することによってロック爪３５の噛み込みが外される。この調整レバー１９に連動ワイヤー２３が取付けられ、調整レバー１９の操作で連動ワイヤー２３が引き込まれる。
【００１６】
図３に示すように、車体側面１１には、斜め後方に延びるリブ２５が形成され、これらのリブ２５，２５の間に溝１５が形成されている。また、連結手段７は、円筒状のハウジング２７の内部の底板２９に連結爪支持台３１が固定されている。この連結爪支持台３１には、長さの異なる２つの連結アーム１７，１７が支持ピンで回転可能に取付けられ、連結アーム１７の先端の爪部１７ａが車体側連結板１３の溝１５に噛みこむことにより、シートバック５は車体側面１１に連結される。これらの連結アーム１７は、略Ｌ字状に形成され、スプリング３３によって車幅方向に押し出されるように付勢されており、連結爪支持台３１の中央を貫通する爪引き込みワイヤー（線状部材）３７に接続されている。よって、爪引き込みワイヤー３７を室内側に引くと、連結爪が支持ピンを介して回動して車体側面１１の溝１５から外れ、連結手段７による連結が解除される。
【００１７】
図４は第１の実施形態による連動手段を示す斜視図、図５は図４の連動手段における回転プレートを示す斜視図であり、各々の回転プレート同士が回転する前の状態を示している。また、図６は図４の連動手段における回転プレートを示す斜視図であり、各々の回転プレート同士が回転している途中状態を示している。
【００１８】
図４に示すように、前記爪引き込みワイヤー３７と連動ワイヤー２３は連動手段３９に繋がっている。
【００１９】
この連動手段３９は、上部は図示しないカバーによって覆われ、下部にはベース４１が設けられ、該ベース４１には、第１回転プレート（第１回転部材）４３と第２回転プレート（第２回転部材）４５とが回動自在に軸支されている。
【００２０】
第１回転プレート４３の一端には、シートスライド用の調整レバー１９に連通する連動ワイヤー２３及びリクライナ用の調整レバー２０（図１参照）に連通する連動ワイヤー２４が接続され、他端には係止ピン４７が突設されている。また、第１回転プレート４３の長手方向中央部には、回転軸４９が設けられている。第２回転プレート４５も中央部の回転軸５１を介して軸支され、一端に連結手段７に連通する連動ワイヤー２３が接続され、他端には、ノッチ５３及び該ノッチ５３に繋がる略円弧状の切欠き５５が形成されている。
【００２１】
図５に示すように、スライド操作およびリクライニング操作のいずれも行わない通常時の場合には、平面視で第１回転プレート４３および第２回転プレート４５が略一直線状に配置されている。そして、第１回転プレート４３の係止ピン４７は、第２回転プレート４５のノッチ５３に係合している。
【００２２】
次いで、スライド操作またはリクライニング操作を行うと、図６に示すように、第１回転プレート４３が回転し、係止ピン４７がノッチ５３から外れ、円弧状の切欠き５５を摺動する。ここで、第１回転プレート４３が回転すると、係止ピン４７が第２回転プレート４５を回転方向に押すため、第２回転プレート４５も所定角度分だけ回転する。しかし、係止ピン４７がノッチ５３を外れると、第２回転プレート４５の回転は停止し、係止ピン４７が円弧状の切欠き５５を摺動するのみとなる。
【００２３】
以下に、本実施形態による連結手段７の動きを説明する。
【００２４】
まず、図７に示すように、通常時には、平面視で第１回転プレート４３および第２回転プレート４５が略一直線状に配置されている。そして、第１回転プレート４３の係止ピン４７は、第２回転プレート４５のノッチ５３に係合している。
【００２５】
次いで、図８に示すように、シート位置を調整するためにスライドレール２１の調整レバー１９を操作すると、連動ワイヤー２３が引き込まれ、連動手段３９内で連動ワイヤー２３に繋がれている第１回転プレート４３が回転する。この第１回転プレート４３の回転で、係止ピン４７が第２回転プレート４５を回転させる。第２回転プレート４５の回転で爪引き込みワイヤー３７が引かれ、シートバック側面９の連結手段７の連結アーム１７が引き込まれる。このとき、車体側連結板１３の溝１５から連結アーム１７の爪部１７ａが外れてシートバック側面９と車体側面１１との連結が解除される。
【００２６】
さらに調整レバー１９を操作すると、図９に示すように、スライドレール２１のロックが完全に外れてシート１の移動が可能になり、連動ワイヤー２３もさらに引かれて第１回転プレート４３の回転量も増えるが、係止ピン４７は第２回転プレート４５の円弧形状の切欠き５５を摺動するので、第２回転プレート４５は回転しない。よって、爪引き込みワイヤー３７もそのままで連結アーム１７の爪部１７ａは外れた位置で保持され、必要以上に引き込まれることはない。
【００２７】
図１０は、調整レバーの操作量に対する固定部材の作動量と連結手段の連結アームの作動量を示すグラフである。具体的には、下側のグラフが、調整レバーの操作量に対する固定部材の作動量を示しており、上側のグラフが、調整レバーの操作量に対する連結手段の連結アームの作動量を示している。また、グラフの下側には、横軸の各段階における調整レバーの位置の断面図を示し、グラフの上側には、横軸の各段階における連結手段の連結アームの位置の断面図を示している。
【００２８】
下側のグラフに示すように、調整レバー１９を操作して上方に回動させると、固定部材の作動量（即ち、ロック爪３５の回動角度）が調整レバー１９の操作量（即ち、調整レバー１９の回動角度）に比例して増加する。そして、調整レバー１９を上限まで回動させたのち、下方に回動させると、固定部材の作動量は調整レバー１９の操作量に反比例して減少する。ここで、横軸に平行に延びる破線は、スライドレール２１のロックが解除されるときの固定部材の作動量を示している。
【００２９】
一方、上側のグラフに示すように、連結手段７における連結アーム１７については、スライドレール２１のロックが解除されるときよりも前に、車体側面１１と連結手段７との係合が外れるようになっている。
【００３０】
横軸に平行に延びる破線は、車体側面１１と連結手段７との係合が外れる連結アーム１７の作動量の限界値を示しているが、連結アーム１７の作動量がこの限界値を僅かに超えたのちは、連結アーム１７の作動量は一定に維持される。つまり、調整レバー１９を上方に回動する場合、先に連結手段７の車体側面１１に対する係合が解除され、後でスライドレール２１のロックが解除される。
【００３１】
以下に、本実施形態による作用効果について説明する。
【００３２】
車体床面に前後方向に沿って移動自在に取り付けられたシートクッションと、該シートクッションの前後位置を車体に対して可変させる前後位置可変手段と、シートクッションを車体に対して所定の前後位置に固定させる前後位置固定手段と、前記シートクッションに回動自在に支持されたシートバックと、シートバックの側面に設けられ、このシートバック側面を車体側面に連結させる連結手段と、前記前後位置固定手段と連結手段とを連動して、シートバック側面と車体側面との連結を解除させる連動手段とを備えた車両用シート装置であって、前記連動手段は、前後位置固定手段を操作して、連結手段によるシートバック側面と車体側面との連結の解除を行うのと同時または連結の解除を行ったのちに、シートの前後位置の固定を解除するように構成している。
【００３３】
従って、前後位置固定手段を操作して、シート１の前後位置の調整を行う場合に、連結手段７による車体側面１１への連結が障害となることがない。即ち、シート１の前後位置の調整を行う場合には、前後位置固定手段（調整レバー１９およびロック爪３５）を操作してシート位置のロックを解除する必要があるが、このシート位置のロック解除がされた時点においては、連結手段７による車体側面１１への連結は既に解除されている。シート１の前後位置を可変させる際に、連結手段７が未だ車体側面１１に係合していると、連結手段７が車体側面１１に引っかかることによって、乗員に耳障りな異音が発生する。しかし、本実施形態によれば、シート１を前後に移動させる際に、連結手段７と車体側面１１との連結は既に解除されているため、シート１の前後位置の可変操作を円滑に行うことができる。
【００３４】
そして、前記シートバック５をシートクッション３に対して所定の回動角度に調整および固定する角度調整手段（調整レバー２０およびリクライニング装置）を設け、該角度調整手段と連結手段７とを連動手段３９を介して連動させ、該連動手段３９は、前記角度調整手段を操作して、連結手段７による連結の解除を行うのと同時または連結の解除を行ったのちに、シートバック５の回動位置の固定を解除するように構成している。
【００３５】
このように、本実施形態によれば、シートバック５を回動させる際に、連結手段７と車体側面１１との連結は既に解除されているため、シートバック５の回動操作を円滑に行うことができる。
【００３６】
また、前記連結手段７は、車体側面１１の溝１５に係止自在の連結アーム１７を有し、前後位置固定手段（調整レバー１９およびロック爪３５）を連動手段３９を介して連結手段７に接続させ、前記連結アーム１７の作動量が所定値を超えた後は、連結アーム１７が車体側面１１に係止された状態で、連結アーム１７の作動が停止するように構成している。
【００３７】
従って、連結手段７の作動量を必要最小限度に抑制するため、前後位置固定手段を操作する際の操作力を低減して乗員の負担を軽減させることができる。
【００３８】
さらに、前記連動手段３９は、前後位置固定手段に線状部材（ワイヤー）２３，２４を介して接続された、回動自在の第１回転部材（第１回転プレート）４３と、連結手段７に線状部材（ワイヤー）３７を介して接続された、第１回転部材４３に係合して回動する第２回転部材（第２回転プレート）４５とを備え、前記前後位置固定手段を操作して、第１回転部材４３と共に第２回転部材４５を回転させ、第１回転部材４３が所定角度分だけ回転した後は第１回転部材４３と第２回転部材４５の係合が外れ、第１回転部材４３のみが回転するように構成している。
【００３９】
従って、非常に効率的な手段を用いて、前後位置固定手段を操作する際の操作力を低減させることができる。また、前後位置固定手段を連続的に操作することができ、連結手段７と車体側面１１との連結が解除される前後においても、乗員が操作に違和感を感じることがない。
【００４０】
なお、本実施形態に係るシートバックの連結解除方法は、シート１の前後位置固定手段と、シートバック側面９を車体側面１１に連結させる連結手段７とを、連動手段３９により連動して固定解除させる際に、前記前後位置固定手段を操作して、連結手段７によるシートバック側面９と車体側面１１との連結の解除を行うのと同時または連結の解除を行ったのちに、シート１の前後位置の固定を解除する方法である。
【００４１】
このため、前後位置固定手段を操作して、シート１の前後位置の調整を行う場合に、連結手段７による車体側面１１への連結が障害となることがない。
【００４２】
[第２の実施形態]
次に本発明の第２実施形態を図に従って説明する。
【００４３】
図１１は本発明の第２実施形態における調整レバーを示す斜視図、図１２は図１１の正面図、図１３はロック爪を有するレバーとスライドレールとを示す正面図である。
【００４４】
本実施形態による調整レバー６１は、図１１に示すように、上下に回動自在に支持されたレバー本体部６３と、該レバー本体部６３に上下方向に回動自在に軸支され、線状部材であるワイヤー６４を介して接続されたレバー把持部６５とを備え、これらのレバー本体部６３およびレバー把持部６５の回動軸同士６３ａ，６５ａが近接して配置されている。
【００４５】
また、レバー本体部６３には、レバー把持部６５の角部６７が当たる当接部６９が設けられており、レバー把持部６５を上方に回動させて、その角部６７がレバー本体部６３の当接部６９に突き当たると、これらのレバー本体部６３とレバー把持部６５とは一体になって上方に回動するように構成されている。
【００４６】
さらに、図１２に示すように、レバー把持部６５の下端部には、ワイヤー６４の端部が取り付けられ、レバー把持部６５の回動によってワイヤー６４が引かれるように構成されている。このワイヤー６４は、連結手段７の連結アーム１７に接続されている。
【００４７】
また、図１３に示すように、レバー本体部６３はスプリング７１によって時計回りに向けて付勢されており、レバー本体部６３には、スライドレール側に屈曲して延びるロック爪３５が形成されている。該ロック爪３５は、アッパーレールとロアレールに噛み込むことによってシート１の前後位置が固定される。よって、レバー本体部６３に負荷を掛けない状態では、レバー本体部６３とロック爪３５とが、図１３の時計回りに付勢されているため、ロック爪３５がスライドレール２１に係合してシート位置が固定されるように構成されている。
【００４８】
図１４は、調整レバーの操作力と実作動量との関係を示すグラフである。ここで、実作動量とは、連結手段７の連結アーム１７を実際に作動させる場合におけるレバー把持部６５またはレバー本体部６３の回動操作量である。よって、レバー把持部６５を回動させても、連結アーム１７が作動しないときは、レバー把持部６５の実作動量は、増加せずに一定量である。
【００４９】
レバー把持部６５を上方に回動させると、該レバー把持部６５に接続されているワイヤーが引かれて、連結手段７の連結アーム１７が回動する。そして、図１４に示す解除必要作動量の時点で、連結手段７と車体側面１１との連結が解除される。レバー把持部６５の角部６７がレバー本体部６３の当接部６９に突き当たると、これらのレバー本体部６３とレバー把持部６５とは一体になって上方に回動する。ここで、レバー本体部６３を反時計方向に回動させると、スプリング７１の付勢力に反する操作力が必要になるため、調整レバー１９の操作力は大きくなるが、ワイヤー６４はこれ以上引かれないため、実作動量は一定になる。
【００５０】
また、レバー把持部６５に加えている操作力に対するレバー把持部６５の実作動量の関係の傾きと、レバー把持部６５に加えている操作力とレバー本体部６３の実作動量との関係の傾きを一致させると、操作者はレバー操作をあまり不連続に感じることがない。
【００５１】
なお、レバー本体部６３にスプリング７１によって与えられている付勢力は、レバー把持部６５の角部６７がレバー本体部６３の当接部６９に当たる時の操作力に近い荷重に設定されている。
【００５２】
次に、第２実施形態における作動手順について説明する。
【００５３】
まず、操作者である乗員がレバー把持部６５を上方に回動させると、付勢力（プリテンション）が掛かったレバー本体部６３は回動することなく、レバー把持部６５のみが回動し、ワイヤー６４を引き込む。これにより、連結手段７の連結アーム１７を引っ張り、車体側面１１との連結が先に開錠される。さらに操作しようとすると、レバー把持部６５の角部６７がレバー本体部６３の当接部６９に当たってレバー本体部６３に対する回動が止められる。しかし、レバー本体部６３がスプリング７１を介して掛けられている付勢力に対して、レバー把持部６５に操作者が加えている操作力が超えるため、レバー本体部６３が回動し始めてロック爪３５がスライドレール２１から外れる。
【００５４】
以下に、本実施形態による作用効果を説明する。
【００５５】
前記前後位置固定手段または角度調整手段は、回動自在に軸支されたレバー本体部６３と、該レバー本体部６３に回動自在に軸支され、連結手段７に線状部材を介して接続されたレバー把持部６５と、からなる調整レバー１９を備え、レバー把持部６５が所定角度分だけ回動したときにレバー本体部６３に当接して、これらのレバー本体部６３およびレバー把持部６５が一体に回動するように構成し、かつ、レバー本体部６３およびレバー把持部６５の回動軸６３ａ，６５ａを近接して配置している。
【００５６】
従って、前後位置固定手段または角度調整手段を連続的に操作することができ、連結手段７と車体側面１１との連結が解除される前後においても、乗員が操作に違和感を感じることがない。つまり、前後位置固定手段または角度調整手段を操作する場合、まず、レバー把持部６５を持って操作し、所定角度分だけ回動したときにレバー本体部６３に当接したのちは、レバー本体部６３およびレバー把持部６５が一体に回動する。ここで、レバー本体部６３およびレバー把持部６５の回動軸６３ａ，６５ａを近接して配置されているため、レバー本体部６３の回動からレバー把持部６５への回動に移行する際に不連続性があまり感じられず、円滑な操作をすることができる。このように、連結手段７の連結解除前後において前後位置固定手段または角度調整手段の操作力に連続性を有するため、シートバック５の連結手段７を意識せずに従来のスライド調整やリクライニング操作を違和感なく行なうことができる。
【図面の簡単な説明】
【００５７】
【図１】本発明の第１実施形態によるシート及びその周辺部を示す斜視図である。
【図２】図１のスライドレール調整レバーの作動状態を示す正面図である。
【図３】図１のＡ−Ａ線による拡大断面図である。
【図４】第１の実施形態による連動手段を示す斜視図である。
【図５】図４の連動手段内の第１回転プレートと第２回転プレートを示す斜視図であり、各々の回転プレート同士が回転する前の状態を示している。
【図６】図４の連動手段内の第１回転プレートと第２回転プレートを示す斜視図であり、各々の回転プレート同士が回転している途中の状態を示している。
【図７】各々の回転プレートが回転する前の状態における連動手段を示す斜視図である。
【図８】図７の回転プレート同士が回転している状態における連動手段を示す斜視図である。
【図９】図７の第１回転プレートの回転が終了した時点における連動手段を示す斜視図である。
【図１０】調整レバーの操作量に対する固定部材の作動量と連結手段の連結アームの作動量を示すグラフである。
【図１１】本発明の第２実施形態における調整レバーを示す斜視図である。
【図１２】図１１の正面図である。
【図１３】ロック爪を有するレバーとスライドレールとを示す正面図である。
【図１４】調整レバーの操作力と実作動量との関係を示すグラフである。
【符号の説明】
【００５８】
１…シート
３…シートクッション
５…シートバック
７…連結手段
９…シートバック側面
１１…車体側面
１５…溝
１７…連結アーム
１９…調整レバー（前後位置固定手段）
２０…調整レバー（角度調整手段）
２１…スライドレール（前後位置可変手段）
２３，２４…連動ワイヤー（線状部材）
３５…ロック爪（前後位置固定手段）
３７…爪引き込みワイヤー（線状部材）
３９…連動手段
４３…第１回転プレート（第１回転部材）
４５…第２回転プレート（第２回転部材）
６１…調整レバー
６３…レバー本体部
６３ａ，６５ａ…回動軸
６４…ワイヤー（線状部材）
６５…レバー把持部
【図１】
2006175947.tif 000003
【図２】
2006175947.tif 000004
【図３】
2006175947.tif 000005
【図４】
2006175947.tif 000006
【図５】
2006175947.tif 000007
【図６】
2006175947.tif 000008
【図７】
2006175947.tif 000009
【図８】
2006175947.tif 000010
【図９】
2006175947.tif 000011
【図１０】
2006175947.tif 000012
【図１１】
2006175947.tif 000013
【図１２】
2006175947.tif 000014
【図１３】
2006175947.tif 000015
【図１４】
2006175947.tif 000016